(57)【要約】【課題】海釣り等で釣船が波を受けて大きく上下動した場合でも、釣竿の先端は常に略一定の高さに保持されるよう形成した釣竿支持装置を提供する。【解決手段】船縁に取り付けられる台座部１と、この台座部１上に設け、釣竿４の後端部を取り付ける釣竿取付部３と、この釣竿取付部３の前方に配置する竿受け１６とを備える。上記の釣竿取付部３は、釣竿４を固定するための固定部８を、水平軸７を中心に上下方向に回動可能に形成する。上記の竿受け１６は、釣竿４の竿先に所定の大きさを超える下方への牽引力が働くと竿受け１６を下降させ、牽引力が除去されると竿受け１６を元の位置に復帰させる支持手段１７を介して台座部１に設ける。【選択図】      図１
2004290131.tif 000002
【特許請求の範囲】
【請求項１】
船縁に取り付けられる台座部と、この台座部上に設けられ、釣竿の後端部が取り付けられる釣竿取付部と、この釣竿取付部の前方に配置される竿受けとを備え、上記の釣竿取付部は釣竿を固定するための固定部が水平軸を中心に上下方向に回動可能に形成され、上記の竿受けは釣竿の竿先に所定の大きさを超える下方への牽引力が働くと竿受けを下降させ、牽引力が除去されると竿受けを元の位置に復帰させる支持手段を介して台座部に設けられていることを特徴とする釣竿支持装置。
【請求項２】
請求項１記載の釣竿支持装置であって、竿受けの支持手段が圧縮スプリングを備えて形成されていることを特徴とする釣竿支持装置。
【請求項３】
請求項１記載の釣竿支持装置であって、竿受けの支持手段が引っ張りスプリングを備えて形成されていることを特徴とする釣竿支持装置。
【請求項４】
請求項１記載の釣竿支持装置であって、竿受けの支持手段がダンパーを備えて形成されていることを特徴とする釣竿支持装置。
【請求項５】
請求項１記載の釣竿支持装置であって、竿受けの支持手段が、釣竿に加わる荷重を検知するセンサと、このセンサからの信号を受けて駆動するモータと、このモータの回転力を竿受けの上下運動に変換する歯車伝達機構とを備えて形成されていることを特徴とする釣竿支持装置。
【請求項６】
請求項１記載の釣竿支持装置であって、竿受けの支持手段が、釣竿に加わる荷重を検知するセンサと、このセンサからの信号を受けて駆動するモータと、このモータの回転力を竿受けの上下運動に変換するカム機構とを備えて形成されていることを特徴とする釣竿支持装置。
【請求項７】
船縁に取り付けられる台座部と、この台座部上に設けられ、釣竿の後端部が上端の固定部に取り付けられる釣竿取付部と、この釣竿取付部の前方に配置される竿受けとを備え、上記の釣竿取付部に、釣竿の竿先に所定の大きさを超える下方への牽引力が働くと固定部を上昇させ、牽引力が除去されると固定部を元の位置に復帰させるバネが内蔵され、上記の竿受けが台座部に起立状に設けられている支柱の上端に取り付けられていることを特徴とする釣竿支持装置。
【発明の詳細な説明】
【０００１】
【発明の属する技術分野】
本発明は、釣竿支持装置に関し、更に詳しくは海釣り等の際に釣船の縁に取り付けて使用する釣竿支持装置に関するものである。
【０００２】
【従来の技術】
従来この種の釣竿支持装置としては、例えばモータの回転力を上下動作に変換し、釣竿を上下に揺り動かすことができるよう形成しているものがある（例えば特許文献１参照）。
【０００３】
【特許文献１】
実開昭６３−９２５７５号公報
【０００４】
【発明が解決しようとする課題】
従来、釣船に乗って海釣りする場合は、上記のような釣竿支持装置を釣船の縁に固定し、この釣竿支持装置に釣竿を取り付けて行なうことがある。この場合、釣船が波のうねりで大きく上下動すると、船縁に固定されている釣竿支持装置が船と一緒に上下動する。従って釣竿支持装置に支持されている釣竿も大きく上下動し、釣針に付けられている餌が大きく上下動することになる。特にうねりで船が持ち上げられると、釣針に付けられている餌だけ、海中にまかれている「こませ」の中から急上昇し、その結果「こませ」と異なる動きをとるため、魚に警戒感を与え、針への食い付きが悪くなる。
【０００５】
本発明は、このような従来の問題に鑑み、提案されたものである。
従って本発明の技術的課題は、海釣り等で釣船が波を受けて大きく上下動した場合でも、釣竿の先端は常に略一定の高さに保持されるよう形成した釣竿支持装置を提供することにある。
【０００６】
【課題を解決するための手段】
本発明は、上記の課題を解決するために、次のような技術的手段を採る。
即ち本発明の釣竿支持装置は、図１等に示されるように、船縁に取り付けられる台座部１と、この台座部１上に設けられ、釣竿４の後端部が取り付けられる釣竿取付部３と、この釣竿取付部３の前方に配置される竿受け１６とを備え、上記の釣竿取付部３は釣竿４を固定するための固定部８が水平軸７を中心に上下方向に回動可能に形成され、上記の竿受け１６は釣竿４の竿先に所定の大きさを超える下方への牽引力が働くと竿受け１６を下降させ、牽引力が除去されると竿受け１６を元の位置に復帰させる支持手段１７を介して台座部１に設けられていることを特徴とする（請求項１）。
【０００７】
この場合本発明は、竿受け１６の支持手段１７が圧縮スプリング１８、引っ張りスプリング２１、あるいはダンパー３０を備えて形成されているのが好ましい（請求項２、３、４）。
【０００８】
なぜならこれらによると、簡単、低コスト、又故障が少ない状態で支持手段１７を構成できるからである。
【０００９】
又本発明は、図１８に示されるように、竿受け１６の支持手段１７が、釣竿４に加わる荷重を検知するセンサ４０と、このセンサ４０からの信号を受けて駆動するモータ４１と、このモータ４１の回転力を竿受け１６の上下運動に変換する歯車伝達機構４２とを備えて形成されているのでも良い（請求項５）。
【００１０】
又本発明は、図１９に示されるように、竿受け１６の支持手段１７が、釣竿４に加わる荷重を検知するセンサ４０と、このセンサ４０からの信号を受けて駆動するモータ４１と、このモータ４１の回転力を竿受け１６の上下運動に変換するカム機構４４とを備えて形成されているのでも良い（請求項６）。
【００１１】
請求項５、６記載の本発明の場合は、竿先に加わる下方への牽引力をセンサ４０で検知するため、釣竿４を精度良く制御できるものである。
【００１２】
更に本発明の課題を達成する他の構成としては、例えば図２０に示されるものがある。即ちこの本発明は、船縁に取り付けられる台座部１と、この台座部１上に設けられ、釣竿４の後端部が上端の固定部８に取り付けられる釣竿取付部３と、この釣竿取付部３の前方に配置される竿受け１６とを備え、上記の釣竿取付部３に、釣竿４の竿先に所定の大きさを超える下方への牽引力が働くと固定部８を上昇させ、牽引力が除去されると固定部８を元の位置に復帰させるバネ４７が内蔵され、上記の竿受け１６が台座部１に起立状に設けられている支柱４８の上端に取り付けられていることを特徴とする（請求項７）。
【００１３】
【発明の実施の形態】
以下、本発明の釣竿支持装置の好適な一実施形態を、図１〜図６に従って説明する。
【００１４】
１は、船縁に固定される台座部である。この台座部１は、断面が略コ字形の板部材で、ボルト２で船縁に固定される水平な下片１ａと、この下片１ａよりも長い状態の水平な上片１ｂと、これらの片側の端部同士を連結する垂直片１ｃとで構成されている。
【００１５】
３は、台座部１上に設けられ、釣竿４の後端部が取り付けられる釣竿取付部である。５は、釣竿取付部３の円筒形の基部で、台座部１の上片１ｂの上面に固定されている。６は、円筒軸で、中心線回りに回動可能に基部５内に嵌入されている。６ａ（図４、図６等参照）は、一対の対向配置された軸取付片で、円筒軸６の上端部の一部が切り欠かれて形成されている。７は、一本の水平軸で、上記軸取付片６ａ間に取り付けられている。８は、釣竿４の後端部を固定する固定部であり、水平軸７を中心に上下方向に回動可能に構成されている。又この固定部８は、釣竿４を上下に挟んで固定する上下固定片９，１０と、固定ボルト１１とからなる。下側の固定片１０は、図５、図６に示されるように、水平軸７に回動可能に取り付けられた支持部１０ａと、この支持部１０ａの上端に設けられた円板状部材１０ｂとからなる。この円板状部材１０ｂは、固定ボルト１１が螺着される一対のねじ孔１２を備え、上面には釣竿４が載置される円弧状凹部１３が浅く直線状に形成されている。又上側の固定片９は、円板状に形成され、固定ボルト１１を挿通させるための一対の切り欠き１４を直線上の両側に備え、下面には釣竿４が配置される円弧状凹部１５が浅く直線状に形成されている。
【００１６】
１６（図１参照）は、略Ｖ字形の板部材からなる竿受けであり、釣竿取付部３の前方に配置され、支持手段１７で台座部１に支持されている。
【００１７】
支持手段１７は、本実施形態では圧縮スプリング１８を備えて形成されている。圧縮スプリング１８は、下端が台座部１の上片１ｂの上面に形成された凹部１９内に配置固定され、上端に設けられた接続片２０が竿受け１６の下端部に固定されている。
【００１８】
次にこの実施形態の作用を説明する。
使用者は、先ず台座部１の下片１ａと上片１ｂとの間に船縁が配置されるよう、台座部１を船縁に嵌め込み、ボルト２の下端を回して本発明品を船縁に固定する。次に台座部１上に設けられている釣竿取付部３に釣竿４の後端部を取り付ける。釣竿４の後端部は、固定部８の上下固定片９，１０で挟まれ、固定ボルト１１で固定される。この状態で釣竿４は、図４に矢示されるように、固定部８の回動により水平軸７を中心に垂直面上を上下方向に回動でき、更に、円筒軸６の回動により水平面内を回動できる。そして後端部が釣竿取付部３に取り付けられた釣竿４は、その前方部分が竿受け１６に支持されて配置される。
【００１９】
而して釣船で魚釣りをしているとき、釣船が波を受けて上昇すると、船縁に固定されている釣竿支持装置が一緒に上昇する。この場合、釣竿４の竿先には釣糸に装着されている「こませかご」や錘の抵抗で下方への牽引力が作用する。従って竿受け１６には、下向きの荷重がかかるため、圧縮スプリング１８が収縮し、竿受け１６が下降する。そのため、釣竿４の竿先は、釣船が上昇しても、略一定の高さに保持される。そして釣船が上昇後、下降すると、牽引力の減少と共に圧縮スプリング１８が伸び、竿受け１６が上昇する。そのため、釣竿４の竿先は、釣船が下降しても、略一定の高さに保持される。本発明は、このようにして釣船が大きく上下動しても、釣竿４の竿先は略一定の高さに保持されるため、釣針に取り付けられている餌を「こませ」の中で大きく上下に変動させることがない。従って本発明によると、釣針に付けられている餌が「こませ」と異なる動きをとることがないので、魚が餌に誘われて釣針に喰いつく確率が高くなる。
【００２０】
図７〜図９は本発明の別の実施形態を示すもので、上記の実施形態とは竿受け１６の支持手段１７の構成が相違している。
【００２１】
本実施形態では、竿受け１６の支持手段１７は、引っ張りスプリング２１を備えて形成されている。２２は、台座部１の上片１ｂの上面に起立する一対の支持板で、釣竿取付部３と竿受け１６との間に配置されている。２３は、水平な支軸で、一対の支持板２２間に取り付けられている。２４は、支持腕であり、上方に湾曲した棒状部材からなり、中間部が支軸２３に垂直面上を上下方向に回動可能に軸支されている。この支持腕２４の前端部が竿受け１６の下端部に固定され、後端部が引っ張りスプリング２１の上端部に固定されている。引っ張りスプリング２１は、下端が台座部１の上片１ｂの上面に形成された凹部２５内に配置固定され、上端が支持腕２４の後端部に固定されている。
【００２２】
従って本実施形態も上記の実施形態と同様に、釣船が上昇すると、船縁に固定されている釣竿支持装置が一緒に上昇する。しかし、釣竿４の竿先には釣糸に装着されている「こませかご」や錘の抵抗で下方への牽引力が働き、竿受け１６が下向きの荷重を受けるため、引っ張りスプリング２１に抗して竿受け１６が下降する。そのため、釣竿４の竿先は、釣船が上昇しても、略一定の高さに保持される。そして釣船が上昇後、下降すると、牽引力の減少と共に引っ張りスプリング２１が収縮し、竿受け１６を上昇させる。そのため、釣竿４の竿先は、釣船が下降しても、略一定の高さに保持される。このようにして釣船が大きく上下動しても、釣竿４の竿先は略一定の高さに保持される。
【００２３】
図１０〜図１４は、本発明の更に別の実施形態を示すものである。上記の実施形態とは、竿受け１６の支持手段１７の構成が相違している。
【００２４】
本実施形態では、竿受け１６の支持手段１７は、圧縮スプリング１８を備えて形成されているが、更に、竿受け１６の上下動の動きをより大きくとれるよう工夫したものである。
【００２５】
２６は、台座部１の上片１ｂの上面に起立する支持部材で、釣竿取付部３と竿受け１６との間に配置されている。２７は、支持腕である。この支持腕２７は、後端部が支持部材２６に、垂直面上を上下方向に回動可能に支持され、その後端部から水平に所定長さ延びて、その前端にＵ字状部を備える棒状部材で形成されている。この支持腕２７は、Ｕ字状部の先端部が竿受け１６の下端部に固定され、水平部が圧縮スプリング１８で支持されている。圧縮スプリング１８は、下端が台座部１の上片１ｂの上面に形成された凹部１９内に配置固定され、上端が支持腕２７に固定されている。支持腕２７のＵ字状部は、台座部１の上片１ｂの前部に形成されているスリット２８内に挿入配置されている。２９は、スリット２８内に対向配置されている一対のガイドローラである。このガイドローラ２９は、支持腕２７のＵ字状部の周面に摺接し、支持腕２７の上下動をガイドするものである。
【００２６】
従って本実施形態の場合も上記の実施形態と同様に、釣船が上昇すると、船縁に固定されている釣竿支持装置が一緒に上昇する。しかしこの際、釣竿４の竿先には釣糸に装着されている「こませかご」や錘の抵抗で下方への牽引力が働き、竿受け１６に下向きの荷重がかかるため、本発明では圧縮スプリング１８が収縮し、竿受け１６が下降する。そのため釣竿４の竿先は、釣船が上昇しても、略一定の高さに保持される。そして釣船が上昇後、下降すると、牽引力の減少と共に圧縮スプリング１８が伸び、竿受け１６が上昇する。そのため釣竿４の竿先は、釣船が下降しても、略一定の高さに保持される。このようにして、釣船が大きく上下動しても、釣竿４の竿先は略一定の高さに保持される。
【００２７】
この場合、本実施形態においては、支持腕２７が台座部１に形成されているスリット２８内を上下動する。従ってこの実施形態に係る本発明品の場合は、上記の実施形態のものと比べて、竿受け１６の上下動の動きをより大きくとれる、という利点がある。
【００２８】
図１５〜図１７は、本発明の更に別の実施形態を示すもので、上記の実施形態とは竿受け１６の支持手段１７の構成が相違している。
【００２９】
本実施形態では、竿受け１６の支持手段１７は、ダンパー３０を備えて形成されている
【００３０】
ダンパー３０は、釣竿取付部３と竿受け１６との間に配置され、台座部１の上片１ｂの上面に、ロッドが前後に伸縮可能の状態で固定されている。ダンパー３０のロッドの前端は、リンク３１を介して竿受け１６の下端部に接続されている。
【００３１】
従って本実施形態の場合も上記の実施形態と同様に、釣船が上昇すると、船縁に固定されている釣竿支持装置が一緒に上昇する。しかし、釣竿４の竿先には釣糸に装着されている「こませかご」や錘の抵抗で下方への牽引力が働き、竿受け１６に下向きの荷重がかかるため、この本発明品ではダンパー３０が収縮し、竿受け１６が下降する。そのため釣竿４の竿先は、釣船が上昇しても、略一定の高さに保持される。そして釣船が上昇後、下降すると、牽引力の減少と共にダンパー３０のロッドが伸び、竿受け１６が上昇する。従って釣竿４の竿先は、釣船が下降しても、略一定の高さに保持される。このようにして釣船が大きく上下動しても、釣竿４の竿先は略一定の高さに保持される。
【００３２】
又本発明は、図１８に示されるように、竿受け１６の支持手段１７が、釣竿４に加わる荷重を検知するセンサ４０と、このセンサ４０からの信号を受けて駆動するモータ４１と、このモータ４１の回転力を竿受け１６の上下運動に変換する歯車伝達機構４２とを備えて形成されているのでも良い。同図において、４３は制御装置としてのマイコンである。歯車伝達機構４２は、モータ４１の回転軸に連結されている下側の歯車４２ａと、この歯車４２ａに噛み合わされると共に竿受け１６に固定されている上側の歯車４２ｂとで形成されている。
この本発明の場合は、竿先に下方への牽引力がかかるとセンサ４０がオンになり、マイコン４３からの信号を受け、モータ４１が駆動する。すると歯車伝達機構４２を構成する下側の歯車４２ａが反時計方向に回転し、上側の歯車４２ｂが時計方向に回転する。その結果、釣竿４の竿先が下降するものである。又センサ４０に加わる荷重がなくなると、そのオフ信号を受けてモータ４１が逆回転し、下側の歯車４２ａが時計方向に回転する。これにより上側の歯車４２ｂが反時計方向に回転し、釣竿４の竿先を上昇させるものである。
【００３３】
又本発明は、図１９Ａに示されるように、竿受け１６の支持手段１７が、釣竿４に加わる荷重を検知するセンサ４０と、このセンサ４０からの信号を受けて駆動するモータ４１と、このモータ４１の回転力を竿受け１６の上下運動に変換するカム機構４４とを備えて形成されているのでも良い。カム機構４４は、モータ４１の駆動で回転する下カム４４ａと、この下カム４４ａの周面に沿って転動するコロ４４ｂとで形成され、コロ４４ｂは竿受け１６に軸支されている。この実施形態の場合、下カム４４ａがモータ４１の駆動により時計方向に回転すると、竿先が下降し、反時計方向に回転すると上昇して元の位置に復帰するものである。
この本発明の場合、下カム４４ａは、同図Ｂに示されるように、山形状に形成されているのでも良い。この実施形態では、ピニオン４５とラック４６とが噛み合わされ、モータ４１が駆動すると下カム４４ａが往復運動するものであり、下カム４４ａが左方向に移動すると、釣竿４の竿先が下降するものである。
【００３４】
更に本発明は、例えば図２０に示されるように形成されているのでも良い。上例と同一部材、同一箇所については同一の番号を付し、詳しい説明は省略する。この本発明は、船縁に取り付けられる台座部１と、この台座部１上に設けられ、釣竿４の後端部が上端の固定部８に取り付けられる釣竿取付部３と、この釣竿取付部３の前方に配置される竿受け１６とを備えてなる。そして上記の釣竿取付部３に、釣竿４の竿先に所定の大きさを超える下方への牽引力が働くと固定部８を上昇させ、牽引力が除かれると固定部８を元の位置に復帰させるバネ４７が内蔵されている。バネ４７は、引っ張りバネで構成されている。又上記の竿受け１６は、台座部１に起立状に設けられている支柱４８の上端に取り付けられている。この本発明の場合は、竿先に下方への牽引力が加わると、バネ４７が伸び、牽引力が除去されると収縮し、これにより竿先の上下動が可能になるものである。
【００３５】
【発明の効果】
以上説明したように本発明の釣竿支持装置は、支持手段で台座部に支持されている竿受けを備え、竿受けの支持手段は釣竿の竿先に所定の大きさを超える牽引力が働いたとき竿受けが下降し、牽引力が取り除かれたとき竿受けが元の位置に復帰するよう構成されているものである。
従って本発明品の場合は、海釣り等で釣船が波を受けて大きく上下動しても、釣竿の先端を常に略一定の高さに保持できる。それ故これによれば、釣針に付けられている餌が、海中にまかれている「こませ」と同じように漂い、例えば急上昇することがないから、魚が餌に誘われて釣針に喰い付き易くなる。
【図面の簡単な説明】
【図１】本発明装置の好適な一実施形態を示す要部斜視図である。
【図２】同上装置の要部側面図である。
【図３】同上装置の作用を示す要部側面図である。
【図４】釣竿取付部を示す要部斜視図である。
【図５】釣竿取付部の要部側面図である。
【図６】釣竿取付部の要部正面図である。
【図７】本発明装置の他の実施形態を示す要部斜視図である。
【図８】同上装置の要部側面図である。
【図９】同上装置の作用を示す要部側面図である。
【図１０】本発明装置の更に他の実施形態を示す要部斜視図である。
【図１１】同上装置の要部側面図である。
【図１２】同上装置の要部平面図である。
【図１３】同上装置の要部正面図である。
【図１４】同上装置の作用を示す要部側面図である。
【図１５】本発明装置の更に他の実施形態を示す要部斜視図である。
【図１６】同上装置の要部側面図である。
【図１７】同上装置の作用を示す要部側面図である。
【図１８】支持手段の他の実施形態を示す要部側面図である。
【図１９】Ａ、Ｂとも支持手段の更に他の実施形態を示す要部側面図である。
【図２０】本発明装置の他の構成を示す要部側面図である。
【符号の説明】
１    台座部
３    釣竿取付部
４    釣竿
７    水平軸
８    固定部
１６  竿受け
１７  支持手段
１８  圧縮スプリング
２１  引っ張りスプリング
３０  ダンパー
４０  センサ
４１  モータ
４２  歯車伝達機構
４４  カム機構
４７  バネ
４８  支柱
【図１】
2004290131.tif 000003
【図２】
2004290131.tif 000004
【図３】
2004290131.tif 000005
【図４】
2004290131.tif 000006
【図５】
2004290131.tif 000007
【図６】
2004290131.tif 000008
【図７】
2004290131.tif 000009
【図８】
2004290131.tif 000010
【図９】
2004290131.tif 000011
【図１０】
2004290131.tif 000012
【図１１】
2004290131.tif 000013
【図１２】
2004290131.tif 000014
【図１３】
2004290131.tif 000015
【図１４】
2004290131.tif 000016
【図１５】
2004290131.tif 000017
【図１６】
2004290131.tif 000018
【図１７】
2004290131.tif 000019
【図１８】
2004290131.tif 000020
【図１９】
2004290131.tif 000021
【図２０】
2004290131.tif 000022